(57)【特許請求の範囲】
【請求項１】
ユーザデータが記録されるグルーブトラック及びランドトラックから成るデータ領域と、前記グルーブトラック及び前記ランドトラックはセクタ単位で区切られており、該セクタ毎の先頭に配置されるとともに、前記グルーブトラック及び前記ランドトラックの方向に対して２分され、それぞれ光ディスクのラジアル方向に交互にトラックピッチの半分の間隔でオフセットするように配置されたピット列によって記録されたアドレスデータを含むヘッダ領域とを有する光ディスクに対して、
レーザ発光手段と、前記レーザ発光手段で発生されたレーザ光を前記光ディスクの信号記録面上に照射する対物レンズと、前記光ディスクで反射されたレーザ光が受光される受光領域であって、前記グルーブトラック及び前記ランドトラックに対してラジアル方向とタンジェンシャル方向とにそれぞれ２分割された４つの受光領域を有する光電変換手段とを備えた光ヘッドを用いて少なくともデータの再生を行なう光ディスク装置において、
前記光ヘッドが有する前記光電変換手段の４つの前記受光領域からそれぞれ得られる信号をレベル加算してなる和信号の、前記ヘッダ領域と前記データ領域における反射光量の差による前記ヘッダ領域におけるレベルと前記データ領域におけるレベルとの差に基づいて、前記ヘッダ領域を検出する検出手段を具備してなることを特徴とする光ディスク装置。
【請求項２】
前記ヘッダ領域で得られる前記和信号のレベルは、前記データ領域で得られる前記和信号のレベルよりも絶対値で高く設定され、
前記検出手段は、前記和信号と、前記データ領域で得られる前記和信号のピークレベルよりも高く、前記ヘッダ領域で得られる前記和信号のピークレベルよりも低く設定された基準レベルとをレベル比較することにより、前記ヘッダ領域を検出することを特徴とする請求項１記載の光ディスク装置。
【請求項３】
前記検出手段は、前記和信号のピークレベルを検知するピークレベル検知手段と、前記ピークレベル検知手段で検知されたピークレベルを所定の比率で分圧することにより、前記基準レベルを生成するアッテネータとを具備してなることを特徴とする請求項２記載の光ディスク装置。
【発明の詳細な説明】
【０００１】
【発明の属する技術分野】
この発明は、例えばＤＶＤ−ＲＡＭ（Random Access Memory）等の光ディスクに対して、データの書き込みや読み出しを行なう光ディスク装置の改良に関する。
【０００２】
【従来の技術】
周知のように、ＤＶＤ−ＲＡＭの物理フォーマットには、ウォブル・ランドグルーブ方式が採用されている。このウォブル・ランドグルーブ方式は、図５及び図６に示すように、レーザ光が照射される側から見て、光ディスク面に記録された凸状のグルーブトラック１０１と凹状のランドトラック１０２とに、それぞれマークを記録する方式である。
【０００３】
これらグルーブトラック１０１及びランドトラック１０２は、ユーザデータが記録されるデータ領域であり、それぞれ、ウォブル１０３と称される微小なうねりが所定の周波数で形成されている。そして、光ディスク装置では、このウォブル１０３を検出することによって得た周波数信号に基づいて、ラフなリードチャネルＰＬＬ引き込みを行なうことが可能とされている。
【０００４】
また、グルーブトラック１０１及びランドトラック１０２は、それぞれ、セクタ１０４と称される単位で区切られており、各セクタ１０４の先頭にヘッダ領域１０５が設けられている。このヘッダ領域１０５には、アドレス情報がピット列の形態で製造時に記録されている。このため、ウォブル・ランドグルーブ方式では、ヘッダ領域１０５のピット列を読み取ることにより、アドレスの検出が可能とされている。
【０００５】
このヘッダ領域１０５では、ピット列がトラック方向に２分されており、それぞれのピット列が、ＣＡＰＡ（Complementary  Allocated  Pit  Address）と呼ばれる形態、つまり、各トラック１０１，１０２に対して、それぞれ、光ディスクのラジアル方向に交互にトラック幅（ピッチ）の半分の間隔でオフセットするように配置されている。
【０００６】
図７は、この種の光ディスクを再生する光ディスク装置を示している。すなわち、光ディスク１１は、スピンドルモータ１２によって回転駆動された状態で、光ヘッド１３によりその記録データの読み取りが行なわれる。まず、光ヘッド１３では、レーザダイオード１３ａから発生されたレーザ光が、ビームスプリッタ１３ｂを直進し対物レンズ１３ｃを介して光ディスク１１のデータ記録面上に照射されている。
【０００７】
そして、光ディスク１１から反射されたレーザ光が、対物レンズ１３ｃを逆行し、ビームスプリッタ１３ｂで略直角に反射されて、光ディテクタ１３ｄに受光され光電変換される。この光ディテクタ１３ｄは、その受光領域が、光ディスク１１上のトラック列に対して、ラジアル方向とタンジェンシャル方向とにそれぞれ対応するように２分割されて、合計４つの受光領域に分けられている。
【０００８】
この光ディテクタ１３ｄの４つの受光領域から得られる各電気的信号は、それぞれＩ／Ｖ（電流／電圧）変換増幅器１４ａ〜１４ｄを介して、プッシュプル信号生成回路１５及び加算器１６に供給される。
【０００９】
ここで、光ディスク装置では、光ディテクタ１３ｄの４つの受光領域からの出力のうち、光ディスク１１のトラック列に対してラジアル方向の内側と外側に対応する２つづつの受光領域からの出力総和の差分をとったプッシュプル信号に基づいて、アドレスデータの再生を行ない、光ディテクタ１３ｄの全受光領域の出力を全加算した和信号を用いてユーザデータの再生を行なっている。
【００１０】
このように、光ディスク装置では、ヘッダ領域１０５とデータ領域（トラック１０１，１０２）とで異なった処理を行なうため、各領域を正確に弁別することが重要となる。従来の弁別手段は、ヘッダ領域１０５を検出している。つまり、光ディテクタ１３ｄの４つの受光領域からの出力は、Ｉ／Ｖ変換増幅器１４ａ〜１４ｄを介した後、プッシュプル信号生成回路１５に供給されて上記したプッシュプル信号が生成される。
【００１１】
このプッシュプル信号は、正常に再生されている状態では、図８（ａ）に示すように、ヘッダ領域１０５で正側及び負側にそれぞれ絶対値レベルの高い信号となる。このため、レベル比較器１７ａ，１７ｂにより、プッシュプル信号を、正側の基準レベルＬ１及び負側の基準レベルＬ２とそれぞれレベル比較することによって、図８（ｂ）及び（ｃ）に示すようなヘッダ検出信号が得られ、ここに、ヘッダ領域１０５の検出が行なわれる。
【００１２】
なお、上記光ディテクタ１３ｄの４つの受光領域からの出力は、Ｉ／Ｖ変換増幅器１４ａ〜１４ｄを介して加算器１６によって全加算された後、イコライザ回路１８で波形等化処理され、データストローブ回路１９でクロック正規化されたデジタルデータに変換されて、データプロセッサ回路２０に供給される。
【００１３】
このデータプロセッサ回路２０では、入力されたデジタルデータに対して、ＩＤの抽出、フレームスリッピング処理、エラー訂正処理等が行なわれて、ここにユーザデータの再生が行なわれる。また、データプロセッサ回路２０は、レベル比較器１７ａ，１７ｂから得られたヘッダ検出信号に基づいて、各種データ処理に必要なタイミングの生成やデータ再生用クロックの生成を行なっている。
【００１４】
しかしながら、上記のような従来のヘッダ検出手段では、プッシュプル信号に基づいてヘッダ検出を行なっているため、その検出精度はプッシュプル信号の品位に大きく依存する。そして、プッシュプル信号の品位は、光ヘッド１３の光学的伝達特性の良否、光ディスク１１の垂直軸と照射光軸とのずれ（スキュー）の存在（これは装置作成時の組み立て精度にもよる）、光ディスク１１の傷、汚れ、変形等、種々の要因で容易に劣化する。
【００１５】
このため、例えば、図９（ａ）に示すように、何らかの要因により正側のプッシュプル信号の品位が劣化して、基準レベルＬ１を超える十分な振幅が得られなくなった場合には、同図（ｂ）に示すように、誤ったヘッダ検出信号が生成されてしまい、ヘッダ領域１０５とデータ領域（トラック１０１，１０２）とを正確に弁別することができなくなるという問題が生じている。
【００１６】
【発明が解決しようとする課題】
以上のように、従来のヘッダ検出手段では、種々の要因によって容易にその品位が劣化し易いプッシュプル信号を用いているため、ヘッダ検出の信頼性が低いという問題を有している。
【００１７】
そこで、この発明は上記事情を考慮してなされたもので、ヘッダ領域を高精度に検出することを可能とした極めて良好な光ディスク装置を提供することを目的とする。
【００１８】
【課題を解決するための手段】
この発明に係る光ディスク装置は、ユーザデータが記録されるグルーブトラック及びランドトラックから成るデータ領域と、前記グルーブトラック及び前記ランドトラックはセクタ単位で区切られており、該セクタ毎の先頭に配置されるとともに、前記グルーブトラック及び前記ランドトラックの方向に対して２分され、それぞれ光ディスクのラジアル方向に交互にトラックピッチの半分の間隔でオフセットするように配置されたピット列によって記録されたアドレスデータを含むヘッダ領域とを有する光ディスクに対して、
レーザ発光手段と、前記レーザ発光手段で発生されたレーザ光を前記光ディスクの信号記録面上に照射する対物レンズと、前記光ディスクで反射されたレーザ光が受光される受光領域であって、前記グルーブトラック及び前記ランドトラックに対してラジアル方向とタンジェンシャル方向とにそれぞれ２分割された４つの受光領域を有する光電変換手段とを備えた光ヘッドを用いて少なくともデータの再生を行なう光ディスク装置において、
前記光ヘッドが有する前記光電変換手段の４つの前記受光領域からそれぞれ得られる信号をレベル加算してなる和信号の、前記ヘッダ領域と前記データ領域における反射光量の差による前記ヘッダ領域におけるレベルと前記データ領域におけるレベルとの差に基づいて、前記ヘッダ領域を検出する検出手段を備えるようにしたものである。
【００１９】
上記のような構成によれば、光ヘッドが有する光電変換手段の複数の受光領域からそれぞれ得られる信号をレベル加算してなる和信号の、ヘッダ領域におけるレベルとデータ領域におけるレベルとの差に基づいて、ヘッダ領域を検出するようにしたので、従来のプッシュプル信号を用いる手段に比して、ヘッダ領域を高精度に検出することができるようになる。
【００２０】
【発明の実施の形態】
以下、この発明の実施の形態について図面を参照して詳細に説明する。図１において、光ディスク２１は、スピンドルモータ２２によって回転駆動され、光ヘッド２３によって、その記録データが読み取られる。光ヘッド２３では、レーザダイオードから発生されたレーザ光を、対物レンズを介して光ディスク２１のデータ記録面上に照射している。
【００２１】
そして、光ディスク２１から反射されたレーザ光が、対物レンズを逆行して光ディテクタに受光され光電変換される。この光ディテクタは、その受光領域が、光ディスク２１上のトラック列に対して、ラジアル方向とタンジェンシャル方向とにそれぞれ対応するように２分割されて、合計４つの受光領域に分けられている。
【００２２】
この光ヘッド２３の光ディテクタの４つの受光領域からそれぞれ得られる電気的信号は、前置増幅回路２４で増幅された後、フォーカス・トラッキングエラー検出回路２５に供給されて、フォーカスエラー信号及びトラッキングエラー信号の生成に供される。そして、このフォーカスエラー信号及びトラッキングエラー信号に基づいて、フォーカス・トラッキング制御回路２６が、光ヘッド２３の対物レンズに対するフォーカス制御及びトラッキング制御のための駆動信号を生成し、光ヘッド２３に出力している。
【００２３】
一方、上記前置増幅回路２４では、光ヘッド２３の光ディテクタの４つの受光領域からそれぞれ得られる電気的信号を増幅した後、レベル加算した和信号を生成し、ピークレベル検知回路２７及びレベル比較回路２８にそれぞれ出力している。
【００２４】
この和信号は、図２（ａ）に示すように、ヘッダ領域１０５とデータ領域（トラック１０１，１０２）との光反射率の違いにより、ヘッダ領域１０５で得られるレベルの方が、データ領域で得られるレベルよりも絶対値で高くなっている。このレベルの違いは、光ヘッド２３の光学的伝達特性の良否、スキュー、光ディスク２１の傷、汚れ、変形等の影響を受け難いものである。
【００２５】
このため、上記レベル比較回路２８では、入力された和信号と、後述するアッテネータ２９から出力される、データ領域で得られる和信号のピークレベルよりも高く、ヘッダ領域１０５で得られる和信号のピークレベルよりも低く設定された基準レベルＬ３とをレベル比較することにより、図２（ｂ）に示すように、ヘッダ検出信号を生成することができる。
【００２６】
そして、和信号は、光ヘッド２３の光学的伝達特性が悪い、スキューが存在する、光ディスク１１の傷、汚れ、変形等の各種要因により、ひずみが生じた場合でも、図３（ａ）に示すように、基準レベルＬ３を十分に超えるだけのレベルを有しているため、同図（ｂ）に示すように、正確なヘッダ検出信号を得ることができる。
【００２７】
また、トラッキングサーボがオフの場合でも、和信号のレベルは変わらないため、例えばサーチ中においても正確にヘッダ領域１０５を検出することが可能となる。
【００２８】
ここで、上記ピークレベル検知回路２７は、入力された和信号のピークレベルを検知し、その検知したピークレベルをアッテネータ２９に出力している。このアッテネータ２９は、入力されたピークレベルを予め設定された比に基づいて分圧することにより、図４（ａ）に示すように、ヘッダ領域１０５で得られる和信号とのレベル比較に供される基準レベルＬ３を生成し、レベル比較回路２８に出力している。このため、レベル比較回路２８からは、図４（ｂ）に示すような、ヘッダ検出信号が得られる。
【００２９】
このように、ヘッダ検出のために和信号とレベル比較する基準レベルＬ３を、和信号のピークレベルに基づいて生成することにより、実際に光ディスク２１から読み取ったデータに応じた最適な基準レベルＬ３を、リアルタイムで生成することができる。ただし、基準レベルＬ３を可変にするか固定にするかは、必要に応じて適宜選択可能である。
【００３０】
なお、この発明は上記した実施の形態に限定されるものではなく、この外その要旨を逸脱しない範囲で種々変形して実施することができる。
【００３１】
【発明の効果】
以上詳述したようにこの発明によれば、ヘッダ領域を高精度に検出することを可能とした極めて良好な光ディスク装置を提供することができる。
【図面の簡単な説明】
【図１】この発明に係る光ディスク装置の実施の形態を説明するために示すブロック構成図。
【図２】同実施の形態におけるのヘッダ検出動作を説明するために示す波形図。
【図３】同実施の形態における和信号にひずみが生じた場合のヘッダ検出動作を説明するために示す波形図。
【図４】同実施の形態における基準レベルの生成動作を説明するために示す波形図。
【図５】ウォブル・ランドグルーブ方式の光ディスクの物理フォーマットを説明するために示す図。
【図６】同ウォブル・ランドグルーブ方式の光ディスクの物理フォーマットにおけるヘッダ領域の構成を説明するために示す図。
【図７】従来の光ディスク装置におけるヘッダ検出手段を説明するために示すブロック構成図。
【図８】同従来の光ディスク装置におけるヘッダ検出の動作を説明するために示す波形図。
【図９】同従来の光ディスク装置におけるヘッダ検出の問題点を説明するために示す波形図。
【符号の説明】
１１…光ディスク、
１２…スピンドルモータ、
１３…光ヘッド、
１４ａ〜１４ｄ…Ｉ／Ｖ変換増幅器、
１５…プッシュプル信号生成回路、
１６…加算器、
１７ａ，１７ｂ…レベル比較器、
１８…イコライザ回路、
１９…データストローブ回路、
２０…データプロセッサ回路、
２１…光ディスク、
２２…スピンドルモータ、
２３…光ヘッド、
２４…前置増幅回路、
２５…フォーカス・トラッキングエラー検出回路、
２６…フォーカス・トラッキング制御回路、
２７…ピークレベル検知回路、
２８…レベル比較回路、
２９…アッテネータ。
【図１】
0004076646.tif 000002
【図２】
0004076646.tif 000003
【図３】
0004076646.tif 000004
【図４】
0004076646.tif 000005
【図５】
0004076646.tif 000006
【図６】
0004076646.tif 000007
【図７】
0004076646.tif 000008
【図８】
0004076646.tif 000009
【図９】
0004076646.tif 000010